(57)【特許請求の範囲】
【請求項１】
スライド弁を作動させる油圧シリンダの操作油と圧縮機の潤滑油とを共用させた容量調節用スライド弁付きスクリュ圧縮機において、アンロード状態からフルロード状態に移行する際に、操作油が流入する上記油圧シリンダ内の第１空間部の油流出入口に接続した第１流路と、フルロード状態からアンロード状態に移行する際に、操作油が流入する上記油圧シリンダ内の第２空間部の油流出入口に接続した第２流路とを、少なくとも第１流路から第２流路への油の流れのみを許容する逆止弁を介して連通させるバイパス流路を設けて形成したことを特徴とする容量調節用スライド弁付きスクリュ圧縮機。
【発明の詳細な説明】
【０００１】
【発明の属する技術分野】
本発明は、スライド弁の操作油と圧縮機の潤滑油とを共用する容量調節用スライド弁付きスクリュ圧縮機に関するものである。
【０００２】
【従来の技術】
従来、スライド弁の操作油と圧縮機の潤滑油とを共用する容量調節用スライド弁付きスクリュ圧縮機として、図４に示す圧縮機が公知である。この圧縮機は、一方が吸込口１１に開口し、他方が吐出口１２に開口したケーシング１３内のロータ室１４に回転可能に収容した雌雄一対のスクリュロータ１５を備え、このスクリュロータ１５には周知の容量調節用スライド弁１６が摺接している。このスライド弁１６は、油圧シリンダ１７のピストンロッドに結合され、進退可能に設けられている。図４は、スライド弁１６を最大限後退させたフルロード状態を示し、この状態からスライド弁１６を吐出口１２に向けて前進させることによりアンロード状態になる。具体的には、スライド弁１６を前進させてゆくにしたがって、吸込口１１に連通するスクリュロータ１５の歯溝部の開口面積が広がり圧縮機の容量が１００％（フルロード状態）から徐々に小さくなってゆく。
【０００３】
アンロード状態からフルロード状態に移行する際に、操作油が流入する油圧シリンダ１７内の第１空間部１８の油流出入口には、逆止弁付き絞り弁１９を介設した第１流路２０が接続してあり、フルロード状態からアンロード状態に移行する際に、操作油が流入する油圧シリンダ１７内の第２空間部２１の油流出入口には、逆止弁付き絞り弁２２を介設した第２流路２３が接続してある。この第１，第２流路２０，２３の他端は、４ポート３位置切換弁２４のＡ，Ｂポートに接続している。上述したように、この油圧シリンダ１７の操作油と圧縮機の潤滑油とは共用しており、切換弁２４のＡ，Ｂポートに対向する側のＣ，Ｄポートには、圧縮機の吸込圧程度の低圧の油溜まり部（Ｌ）に通じる第３流路２５と圧縮機の吐出圧程度の高圧の給油部（Ｈ）に通じる第４流路２６が接続している。
【０００４】
そして、図４に示すように、Ａ，Ｂ，Ｃ，Ｄポートが閉じた状態では、そのときの状態、例えば図示する例では、フルロード状態に保たれる。そして、Ａ，Ｃポートが連通するとともに、Ｂ，Ｄポートが連通した状態に切換えることにより、第１空間部１８の油が第１，第３流路２０，２５を介して上記油溜まり部に流出する一方、上記給油部より第４，第２流路２６，２３を介して第２空間部２１に油が流入する。この結果、油圧シリンダ１７のピストンとともに、スライド弁１６が前進し、圧縮機はアンロード状態になる。その後、切換弁２４を図４に示すようにＡ，Ｂ，Ｃ，Ｄポートを閉じた状態にするとアンロード状態は維持される。
【０００５】
これに対して、Ａ，Ｄポートが連通するとともに、Ｂ，Ｃポートが連通した状態に切換えることにより、第２空間部２１の油が第２，第３流路２３，２５を介して上記油溜まり部に流出する一方、上記給油部より第４，第１流路２６，２０を介して第１空間部１８に油が流入する。この結果、油圧シリンダ１７のピストンとともに、スライド弁１６が後退し、圧縮機は図４に示すフルロード状態になる。
フルロード状態からアンロード状態、或はアンロード状態からフルロード状態への切換えの際、油圧シリンダ１７、のスライド弁１６の動作速度は、逆止弁付き絞り弁１９，２２の絞りを調節することにより調節される。
【０００６】
【発明が解決しようとする課題】
上記従来の容量調節用スライド弁付きスクリュ圧縮機では、油圧シリンダ１７の操作油と圧縮機の潤滑油とを共用しており、またプロセスガスが溶け込んだ潤滑油は、減圧された際に、油中に溶け込んだガスがフラッシュする。このため、フルロードの状態からアンロードの状態に移行する際に、スライド弁１６が動かないか、その動き始めが遅れるといった動作不良が生じる。
図４に示すフルロード状態では、第１空間部１８は高圧の給油圧にある油で満たされ、第２空間部２１は吸込圧程度の低圧の油で満たされている。また、スライド弁１６の吐出口１２側の端面には吐出圧力Ｐdが作用しており、スライド弁１６は、常時吸込口１１に向けて押された状態にある。
【０００７】
この状態のときに、アンロード指令を出すと、第２空間部２１に吐出圧程度の給油圧が作用するが、フルロード状態では、第２空間部２１は略吸込圧であったため、ガスがフラッシュした状態になっている。このフラッシュしたガスが給油圧によって再び油に溶け込み、第２空間部２１内のガス容積が減少することによる圧力降下が完了するまで、第２空間部２１内への油流入によるスライド弁１６の前進、即ちアンロード状態への移行が遅れるという問題がある。
本発明は、斯る従来の問題をなくすことを課題としてなされたもので、フルロード状態からアンロード状態への移行時におけるスライド弁の動作不良の解消を可能とした容量調節用スライド弁付きスクリュ圧縮機を提供しようとするものである。
【０００８】
【課題を解決するための手段】
上記課題を解決するために、本発明は、スライド弁を作動させる油圧シリンダの操作油と圧縮機の潤滑油とを共用させた容量調節用スライド弁付きスクリュ圧縮機において、アンロード状態からフルロード状態に移行する際に、操作油が流入する上記油圧シリンダ内の第１空間部の油流出入口に接続した第１流路と、フルロード状態からアンロード状態に移行する際に、操作油が流入する上記油圧シリンダ内の第２空間部の油流出入口に接続した第２流路とを、少なくとも第１流路から第２流路への油の流れのみを許容する逆止弁を介して連通させるバイパス流路を設けて形成した。
【０００９】
【発明の実施の形態】
次に、本発明の実施の一形態を図面にしたがって説明する。
図１〜３は、本発明に係る容量調節用スライド弁付きスクリュ圧縮機を示し、図４に示す圧縮機とは、新たにバイパス流路１を設けた点を除き、他は実質的に同一であり、互いに対応する部分については、同一番号を付して説明を省略する。
この圧縮機におけるバイパス流路１には、第１流路２０から第２流路２３への流れのみを許容する逆止弁２と仕切弁３とが介設してある。通常、この仕切弁３は圧縮機の運転中は開放してある。
そして、図１は、Ａ，Ｄポート連通、Ｂ，Ｃポート連通状態になっており、アンロード状態からフルロード状態への移行が完了した第１の状態を示している。この移行の途中の状態では、第１空間部１８に給油圧が作用するとともに、第１流路２０から逆止弁２を介して第２流路２３に油が流入し得る故、第２空間部２１にも給油圧が作用している。しかし、スライド弁１６の吐出口１２側の面には常時吐出圧力Ｐdが作用している故、油圧シリンダ１７のピストンは、第２空間部２１側に動き、図１に示す状態になる。
【００１０】
図２は、Ａ，Ｂ，Ｃ，Ｄポートが閉じた第２の状態を示し、この場合、図４の場合と同様に、フルロード状態が維持される。
なお、フルロード状態への移行の途中の段階で図２に示すように、全ポートを閉じた状態にすると、第１、第２空間部１８，２１共に給油圧の状態に保たれ、その後ロード指令が出て、再度Ａ，Ｄポート連通、Ｂ，Ｃポート連通状態になっても、ガスのフラッシュもなく、直ちにスライド弁１６は吸込口１１側に動く。図３は、Ａ，Ｃポートが連通するとともに、Ｂ，Ｄポート連通した第３の状態で、フルロード状態からアンロード状態への切換え時の状態を示している。
【００１１】
この第３の状態では、第１空間部１８は吸込み圧程度の低圧部に通じ、第２空間部２１は給油圧の部分に通じるが、その状態への切換えの直前まで、第１，第２空間部１８，２１は給油圧に保たれている故、フラッシュガスの影響を受けることなく、切換え後直ちにアンロード状態への移行を開始する。
スライド弁１６の吐出口１２側への前進が完了して、完全にアンロード状態になると、第１空間部１８が略吸込み圧の状態になるが、スライド弁１６は、その吐出口１２側の面は常時吐出圧を受け、フルロード状態側へ作動する力を有している故、動作不良が生じることはない。
【００１２】
なお、油圧シリンダ１７、スライド弁１６の動作速度の調節は絞り弁１９，２２の絞りを調節することにより行われる。そして、この絞りの調節は、吐出圧がスライド弁１６に作用していない圧縮機起動前の状態で、仕切弁３を閉じて行われ、上述のように圧縮機の運転時には、仕切弁３を開く。
【００１３】
【発明の効果】
以上の説明より明らかなように、本発明によれば、スライド弁を作動させる油圧シリンダの操作油と圧縮機の潤滑油とを共用させた容量調節用スライド弁付きスクリュ圧縮機において、アンロード状態からフルロード状態に移行する際に、操作油が流入する上記油圧シリンダ内の第１空間部の油流出入口に接続した第１流路と、フルロード状態からアンロード状態に移行する際に、操作油が流入する上記油圧シリンダ内の第２空間部の油流出入口に接続した第２流路とを、少なくとも第１流路から第２流路への油の流れのみを許容する逆止弁を介して連通させるバイパス流路を設けて形成してある。
このため、フルロード状態からアンロード状態への移行時におけるスライド弁の動作不良の解消が可能になるという効果を奏する。
【図面の簡単な説明】
【図１】  本発明に係る容量調節用スライド弁付きスクリュ圧縮機の第１の状態を示す図である。
【図２】  本発明に係る容量調節用スライド弁付きスクリュ圧縮機の第２の状態を示す図である。
【図３】  本発明に係る容量調節用スライド弁付きスクリュ圧縮機の第３の状態を示す図である。
【図４】  従来の容量調節用スライド弁付きスクリュ圧縮機を示す図である。
【符号の説明】
１  バイパス流路              ２  逆止弁
３  仕切弁                    １６  スライド弁
１７  油圧シリンダ            １８  第１空間部
２０  第１流路                ２１  第２空間部
２３  第２流路                ２５  第３流路
２６  第４流路
【図１】
0003673375.tif 000002
【図２】
0003673375.tif 000003
【図３】
0003673375.tif 000004
【図４】
0003673375.tif 000005